(57)【要約】【課題】室温が遠隔制御装置によって設定された温度に到達したあとに頻繁にサーモスタットオフが発生し、快適性が悪化してしまう。【解決手段】本発明の空気調和機は、室温が遠隔制御装置によって設定された温度に到達した後は、下限周波数を補正する。その際、空気調和機の能力が過剰かどうか判断するように判断基準を設ける。１つ目はサーモスタットオフの発生回数を記憶し発生回数がある基準に達した場合に補正を行う。２つ目はサーモスタットオフの発生頻度を計測し、発生頻度が基準以上なら補正を行う。３つ目はサーモスッタトオフの発生間隔を計算し、その間隔が基準以下なら補正を行う。４つ目はサーモスッタトオフの発生間隔を計算し、その間隔に応じて補正量を変更する。これらにより、快適性向上とともに省エネ効果も実現する。【選択図】図１
2008116068.tif 000002
【特許請求の範囲】
【請求項１】
室内熱交換器、室内ファン、室外熱交換器、室外ファン、圧縮機、絞り機構、前記室内熱交換器の温度、室内気温、室外気温を検出する温度検出手段を備え、前記圧縮機の運転周波数が可変である空気調和機において、冷房、冷房除湿運転時に室内温度が遠隔制御装置により設定された室温に到達し、サーモスタットオフが発生した際に下限周波数を補正することを可能とした空気調和機。
【請求項２】
室内熱交換器、室内ファン、室外熱交換器、室外ファン、圧縮機、絞り機構、前記室内熱交換器の温度、室内気温、室外気温を検出する温度検出手段を備え、前記圧縮機の運転周波数が可変である空気調和機において、冷房、冷房除湿運転時に室内温度が安定しサーモスタットオフが発生した際に下限周波数を補正とすることを可能とした空気調和機のうち、サーモスタットオフの発生回数に応じて、下限周波数を補正することを可能とした空気調和機。
【請求項３】
室内熱交換器、室内ファン、室外熱交換器、室外ファン、圧縮機、絞り機構、前記室内熱交換器の温度、室内気温、室外気温を検出する温度検出手段を備え、前記圧縮機の運転周波数が可変である空気調和機において、冷房、冷房除湿運転時に室内温度が遠隔制御装置により設定された室温に到達し、サーモスタットオフが発生した際に下限周波数を補正することを可能とした空気調和機のうち、サーモスタットオフの発生頻度に応じて、下限周波数を補正することを可能とした空気調和機。
【請求項４】
室内熱交換器、室内ファン、室外熱交換器、室外ファン、圧縮機、絞り機構、前記室内熱交換器の温度、室内気温、室外気温を検出する温度検出手段を備え、前記圧縮機の運転周波数が可変である空気調和機において、冷房、冷房除湿運転時に室内温度が遠隔制御装置により設定された室温に到達し、サーモスタットオフが発生した際に下限周波数を補正することを可能とした空気調和機のうち、前回のサーモスタットオフと今回のサーモスタットオフとの間隔に応じて、下限周波数を補正することを可能とした空気調和機。
【請求項５】
室内熱交換器、室内ファン、室外熱交換器、室外ファン、圧縮機、絞り機構、前記室内熱交換器の温度、室内気温、室外気温を検出する温度検出手段を備え、前記圧縮機の運転周波数が可変である空気調和機において、冷房、冷房除湿運転時に室内温度が遠隔制御装置により設定された室温に到達し、サーモスタットオフが発生した際に下限周波数を補正とすることを可能とした空気調和機のうち、前回のサーモスタットオフと今回のサーモスタットオフとの間隔に応じて、下限周波数の補正量を変更することを可能とした空気調和機。
【発明の詳細な説明】
【技術分野】
【０００１】
本発明は、圧縮機運転周波数が可変である空気調和機に関するものである。
【背景技術】
【０００２】
従来、この種の空気調和機では圧縮機運転周波数は遠隔制御装置によって設定された室内温度と空気調和機の室内吸込サーミスタ検知温度を比較し変化させていた。ただし、その際、室内機からの吹出し空気の温度の上昇を抑えるために、室内ファンの回転数に応じて周波数にある特定の下限値を設けていた（例えば、特許文献１参照）。
【特許文献１】特開平８−１７８４００号公報
【発明の開示】
【発明が解決しようとする課題】
【０００３】
しかしながら、前記従来の構成では、周波数の下限値により、ある値より周波数を下げることができず、室内が十分に冷やされ遠隔制御装置によって設定された温度に到達した後では、能力過剰の状態になってしまう。そのため、頻繁にサーモスタットオフが発生してしまい、室温の上昇や凝縮水の再蒸発による湿度の上昇により快適性が悪化してしまっていた。
【課題を解決するための手段】
【０００４】
前記従来の課題を解決するために、本発明の空気調和機は、室内吸込サーミスタ検知温度が遠隔制御装置によって設定された温度に到達した後は、下限周波数を補正することを可能とした。
【発明の効果】
【０００５】
本発明により、負荷の小さい環境でのサーモスタットオフを抑え快適性を向上させるとともに、運転周波数を下げることにより省エネにもつながる。
【発明を実施するための最良の形態】
【０００６】
第１の発明は、室内吸込サーミスタ検知温度が遠隔制御装置によって設定された温度に到達しサーモスタットオフが発生した際に、運転周波数の下限値を所定量補正することで、室温安定後に空気調和機の能力を抑えサーモスタットオフの発生を抑制し快適性を向上させることができる。
【０００７】
第２の発明は、室内吸込サーミスタ検知温度が遠隔制御装置によって設定された温度に到達しサーモスタットオフが発生した場合、前記サーモスタットオフ回数を記憶し、所定回数に達した場合に圧縮機の下限周波数を補正することにより、部屋の負荷変化に応じて圧縮機の下限周波数を調整することができ、室温安定後に空気調和機の能力を抑えサーモスタットオフの発生を抑制し快適性を向上させることができる。
【０００８】
第３の発明は、室内吸込サーミスタ検知温度が遠隔制御装置によって設定された温度に到達しサーモスタットオフが発生した場合、前記サーモスタットオフ回数を記憶し、あらかじめ決められた所定時間内に発生したサーモスタットオフ回数がある特定の基準よりも多い場合下限周波数を補正することにより、部屋の負荷変化に応じて圧縮機の下限周波数を調整することができ、室温安定後に空気調和機の能力を抑えサーモスタットオフの発生を抑制し快適性を向上させることができる。
【０００９】
第４の発明は、室内吸込サーミスタ検知温度が遠隔制御装置によって設定された温度に
到達しサーモスタットオフが発生した場合、前記サーモスタットオフとその前回のサーモスタットオフとの間隔を計算し、その時間があらかじめ設定された時間よりも長い場合、運転周波数の下限値を所定量補正することで、部屋の負荷変化に応じて圧縮機の下限周波数を調整することができ、室温安定後に空気調和機の能力を抑えサーモスタットオフの発生を抑制し快適性を向上させることができる。
【００１０】
第５の発明は、室内吸込サーミスタ検知温度が遠隔制御装置によって設定された温度に到達しサーモスタットオフが発生した場合、前記サーモスタットオフとその前回のサーモスタットオフとの間隔を計算し、その時間に応じて運転周波数の下限周波数の補正量を変化させることで、部屋の負荷変化に応じて圧縮機の下限周波数を調整することができ、室温安定後に空気調和機の能力を抑えサーモスタットオフの発生を抑制し快適性を向上させることができる。
【００１１】
以下、本発明の実施の形態について、図面を参照しながら説明する。なお、この実施の形態によって本発明が限定されるものではない。
【００１２】
（実施の形態１）
図１のフローチャートに示すように、運転開始時はステップ１に示されるＦ１が圧縮機の運転下限周波数である。その際、ステップ２で室内吸込サーミスタ検知温度が遠隔制御装置によって設定された温度に近づきサーモスタットオフが発生した場合に、ステップ３へ進み圧縮機の運転下限周波数Ｆ１をあらかじめ設定された所定量あらかじめ設定された所定量ΔＦ１補正しＦ２とする。
【００１３】
（実施の形態２）
図２のフローチャートに示すように、運転開始時はステップ４に示されるＦ１が圧縮機の運転下限周波数である。その際ステップ５で室内吸込サーミスタ検知温度が遠隔制御装置によって設定された温度に近づきサーモスタットオフが発生した場合に、ステップ６へ進む。
【００１４】
ステップ６ではサーモスタットオフの発生回数を記憶し、記憶された回数があらかじめ設定された回数Ｎ１に到達した場合に、室温が安定したと判断しステップ７へ進む。ステップ７では、圧縮機の運転下限周波数Ｆ１をあらかじめ設定された所定量ΔＦ２補正しＦ３とする。
【００１５】
その後ステップ８へ進み引き続きサーモスタットオフの発生回数を記憶し、記憶された回数があらかじめ設定された回数Ｎ２に到達した場合に、室温が十分に安定し空気調和機の能力が過剰であると判断しステップ９へ進む。ステップ９では、現在の圧縮機の運転下限周波数Ｆ３をさらにΔＦ２補正しＦ４とする。
【００１６】
（実施の形態３）
図３のフローチャートに示すように、運転開始時はステップ１０に示されるＦ１が圧縮機の運転下限周波数である。その際ステップ１１で室内吸込サーミスタ検知温度が遠隔制御装置によって設定された温度に近づきサーモスタットオフが発生した場合に、ステップ１２へ進む。
【００１７】
ステップ１２では、時間を計測しながらサーモスタットオフの発生回数を記憶し、あらかじめ設定された所定時間Ｔ１内に、所定回数Ｎ３回以上サーモスタットオフが発生した場合、室温が安定し空気調和機の能力が過剰であると判断しステップ１３へ進む。Ｎ３以下である場合には、そのままサーモスタットオフ発生回数の計測を継続する。
【００１８】
ステップ１３では、圧縮機の運転下限周波数Ｆ１をあらかじめ設定された所定量ΔＦ３補正しＦ５とする。その後ステップ１４へ進みサーモスタットオフ発生回数の計測を継続する。そこで、再びあらかじめ設定された所定時間Ｔ１内に、所定回数Ｎ３回以上サーモスタットオフが発生した場合、ステップ１５へ進む。
【００１９】
ステップ１５では、現在の圧縮機の運転下限周波数Ｆ５をさらにあらかじめ設定された所定量ΔＦ３補正しＦ６とする。その後もこのステップを繰り返し、サーモスタットオフの頻度が所定時間Ｔ１内に、所定回数Ｎ３回以下になるまで補正を繰り返す。これにより、最適な下限周波数での運転が可能となる。
【００２０】
（実施の形態４）
図４のフローチャートに示すように、運転開始時はステップ１６に示されるＦ１が圧縮機の運転下限周波数である。その際ステップ１７で室内吸込サーミスタ検知温度が遠隔制御装置によって設定された温度に近づきサーモスタットオフが発生した場合に、ステップ１８へ進む。
【００２１】
ステップ１８では、前回のサーモスタットオフから今回のサーモスタットオフまでの時間を計算し、その結果があらかじめ設定された時間Ｔ２未満である場合には、室温が安定し空気調和機の能力が過剰であると判断しステップ１９へ進む。Ｔ２以上である場合には、そのままステップ１８にとどまりサーモスタットオフごとに前記時間を比較する。
【００２２】
ステップ１９では圧縮機の運転下限周波数Ｆ１をあらかじめ設定された所定量ΔＦ４補正しＦ７とする。その後ステップ２０へ進みサーモスタットオフ発生時にステップ１８と同様にＴ２との比較を行う。そこで再びサーモスタットオフの間隔がＴ２未満である場合には、まだ空気調和機の能力が過剰と判断しステップ２１へ進む。
【００２３】
ステップ２１では現在の圧縮機の運転下限周波数Ｆ７をあらかじめ設定された所定量ΔＦ４補正しＦ８とする。その後もこのステップを繰り返し、サーモスタットオフの間隔がＴ２以上となるまで補正を繰り返す。これにより、最適な下限周波数での運転が可能となる。
【００２４】
（実施の形態５）
図５のフローチャートに示すように、運転開始時はステップ２２に示されるＦ１が圧縮機の運転下限周波数である。その際ステップ２３で室内吸込サーミスタ検知温度が遠隔制御装置によって設定された温度に近づきサーモスタットオフが発生した場合に、ステップ２４へ進む。
【００２５】
ステップ２４では、前回のサーモスタットオフから今回のサーモスタットオフまでの時間を計算し、その結果があらかじめ設定された時間Ｔ３以上である場合には、補正は行わずそのまま継続してサーモスタットオフの間隔を計測する。一方Ｔ３未満である場合にはステップ２５へ進む。ステップ２５ではサーモスタットオフの間隔をＴ４と比較しＴ４以上であればステップ２６へ進み、Ｔ４未満である場合にはステップ２７へ進む。
【００２６】
ステップ２６では圧縮機の運転下限周波数Ｆ１をあらかじめ設定された所定量ΔＦ５補正しＦ９とする。ステップ２７では、サーモスタットオフの間隔をＴ５と比較しＴ５以上であればステップ２８へ進み、Ｔ５未満である場合にはステップ２９へ進む。
【００２７】
ステップ２８では圧縮機の運転下限周波数Ｆ１をあらかじめ設定された所定量ΔＦ６補正しＦ１０とする。ステップ２９では圧縮機の運転下限周波数Ｆ１をあらかじめ設定された所定量ΔＦ７補正しＦ１１とする。ステップ２６、ステップ２８、ステップ２９後は再
びステップ２４へ戻り、次のサーモスタットオフ発生時にも前記手順によりその間隔に応じた補正量に変更する。これにより、最適な下限周波数での運転が可能となる。
【産業上の利用可能性】
【００２８】
以上のように、本発明にかかる空気調和機は、居住空間の快適性を向上させかつ省エネにも繋がるので、室内、室外熱交換器、室内熱交換器温度センサと室内、室外ファンを備えた機器に応用可能である。
【図面の簡単な説明】
【００２９】
【図１】本発明の実施の形態１におけるフローチャート
【図２】本発明の実施の形態２におけるフローチャート
【図３】本発明の実施の形態３におけるフローチャート
【図４】本発明の実施の形態４におけるフローチャート
【図５】本発明の実施の形態５におけるフローチャート
【符号の説明】
【００３０】
１〜２９  フローチャート中のステップ
【図１】
2008116068.tif 000003
【図２】
2008116068.tif 000004
【図３】
2008116068.tif 000005
【図４】
2008116068.tif 000006
【図５】
2008116068.tif 000007